(57)【要約】      （修正有）【課題】回転ブラシをダクトのコーナーの奥へ入れることが容易なダクト清掃器具とダクト清掃方法を提供する。【解決手段】本発明のダクト清掃器具１００は、フレキシブルシャフト１と、フレキシブルシャフト１の先端に着脱自在に連結される回転ブラシ４０とを備え、フレキシブルシャフト１は、基端が回転駆動装置Ａに着脱自在に連結されるメインシャフト１０と、メインシャフト１０より短尺に設けられ、メインシャフト１０の先端に着脱自在に連結されるサブシャフト２０とを有し、サブシャフト２０は、メインシャフト１０より全径が細い。【選択図】図１
2018118217.tif 000002
【特許請求の範囲】
【請求項１】
ダクトの内部を清掃するダクト清掃器具であって、
金属線をらせん状に巻回した芯線を可撓性樹脂により被覆してなり、回転駆動装置に連結されて回転駆動されるフレキシブルシャフトと、
前記フレキシブルシャフトの先端に着脱自在に連結される回転ブラシ、又は回転バフからなる回転清掃具とを備え、
前記フレキシブルシャフトは、基端が回転駆動装置に着脱自在に連結されるメインシャフトと、前記メインシャフトより短尺に設けられ、基端が前記メインシャフトの先端に着脱自在に連結されるサブシャフトとを有し、
前記サブシャフトは、前記メインシャフトより全径が細いことを特徴とするダクト清掃器具。
【請求項２】
前記サブシャフトは、前記メインシャフトより芯線の径が太い請求項１に記載のダクト清掃器具。
【請求項３】
ダクトの内部を清掃するダクト清掃器具であって、
金属線をらせん状に巻回した芯線を可撓性樹脂により被覆してなり、基端が回転駆動装置に着脱自在に連結されるメインシャフトと、
基端が前記メインシャフトの先端に着脱自在に連結されるとともに、先端から反メインシャフト側へ向かって筆状に延出する多数のワイヤを備えた筆状の回転ブラシとを備えるダクト清掃器具。
【請求項４】
請求項１から請求項３のいずれか１項に記載のダクト清掃器具と、
ダクト内の塵埃を吸引する集塵機の吸引ホースをダクトの排気口に連結する集塵ノズルを備え、
前記集塵ノズルは、前記メインシャフトを挿通可能な挿入口と、前記メインシャフトを挿通可能に構成されるとともにダクトの排気口に連結される送出口と、集塵機に連結される吸引口とを備えるダクト清掃キット。
【請求項５】
請求項１から請求項３に記載のダクト清掃器具を用いてダクトの清掃を行うダクト清掃方法。
【請求項６】
前記ダクトが、トイレ、洗面所、風呂場等の被排気室の吸引口と換気扇を結ぶ一又は複数の上流側の部分排気ダクトと、前記換気扇と屋外へ空気を排気する排気口とを結ぶ下流側の部分側排気ダクトとを有する排気ダクトからなる請求項５に記載のダクト清掃方法。
【請求項７】
換気扇を前記排気ダクトから取り外したのち、前記いずれかの部分排気ダクトの上流側と下流側の一側から前記ダクト清掃器具を挿入して当該部分排気ダクトを清掃したのち、当該部分排気ダクトの上流側と下流側の他側から前記ダクト清掃器具を挿入して前記部分排気ダクトを清掃する請求項６に記載のダクト清掃方法。
【請求項８】
換気扇を前記排気ダクトから取り外したのち、前記いずれかの上流側の部分排気ダクトと前記下流側の部分排気ダクトを連結した状態で、前記ダクト清掃器具を前記排気ダクトに挿入して前記排気ダクトを清掃する請求項６に記載のダクト清掃方法。
【請求項９】
前記排気ダクトを前記ダクト清掃器具で清掃したのち、前記排気口に集塵ネット取付パーツを取り付け、前記排気ダクトの上流側から、ブロアーにより空気を流送して、前記排気ダクトを清掃する請求項６に記載のダクト清掃方法。
【発明の詳細な説明】
【技術分野】
【０００１】
この発明は、トイレや浴槽から排気を行う排気ダクトの内部を清掃する器具、及び方法に関し、特に排気ダクトの内壁に付着した塵埃や油汚れを落とす回転ブラシや回転バフ等を用いたダクト清掃器具、及びダクト清掃方法に関する。
【背景技術】
【０００２】
従来、いわゆるフレキシブルシャフト（例えば、特許文献１参照）とよばれる曲げ方向に可撓性を有した索状物の先端に回転ブラシを設けたダクト清掃器具（例えば、特許文献２参照）が提案されている。
【０００３】
特許文献２のダクト清掃器具では、ブラシを設けた回転体を吸引ホースの先端に取付け吸引ホースの内部を通るフレキシブルシャフトにより回転体を回転させ、回転体と共に回転するブラシでダクトの内面に付着した塵埃をかき取るようにしている。そして、ブラシと共に回転する吸引孔を回転体に設け、ダクトの内壁から剥離した塵埃をこの吸引孔から吸引ホースへ吸い込むようにしている。
【先行技術文献】
【特許文献】
【０００４】
【特許文献１】特開２００１−２８０３３３号公報
【特許文献２】特開２００９−１３１７９１号公報
【発明の概要】
【発明が解決しようとする課題】
【０００５】
しかし、特許文献２のダクト清掃器具では、吸引ホースと内部のフレキシブルシャフトの太さが全長にわたって均一であるため、曲がり易さも全長に亘って均一であり、ダクトのコーナーを曲がる際に、曲がってほしい吸引ホースの先端が曲がらず、中間部分が曲がってしまって、ダクトがコーナーの奥に入りにくく、長くてコーナーの多い排気ダクトは清掃しにくいという問題が有る。
本発明は、上記課題に鑑みてなされたものであり、ダクトのコーナーの奥へ回転体を設けた先端を入れることが容易で、長くてコーナーの多い排気ダクトであっても清掃しやすいダクト清掃器具、及びこれを用いたダクト清掃方法の提供を目的とする。
【課題を解決するための手段】
【０００６】
上記課題を解決するためになされた発明は、ダクトの内部を清掃するダクト清掃器具であって、金属線をらせん状に巻回した芯線を可撓性樹脂により被覆してなり、回転駆動装置に連結されて回転駆動されるフレキシブルシャフトと、前記フレキシブルシャフトの先端に着脱自在に連結される回転ブラシ、又は回転バフからなる回転清掃具とを備え、前記フレキシブルシャフトは、基端が回転駆動装置に着脱自在に連結されるメインシャフトと、前記メインシャフトより短尺に設けられ、基端が前記メインシャフトの先端に着脱自在に連結されるサブシャフトとを有し、前記サブシャフトは、前記メインシャフトより全径が細いことを特徴とする。
【０００７】
このように、フレキシブルシャフトの先端側のサブシャフトの全径を、同基端側のメインシャフトの全径より細くしたので、サブシャフトがメインシャフトより曲がりやすく、ダクトに入れたフレキシブルシャフトを、メインシャフト側から押した場合に、基端側のメインシャフトが折れ曲がる前に先端側のサブシャフトが折れ曲がるので、ダクト清掃器具が、ダクトのコーナーに沿って曲がりやすい。
【０００８】
前記サブシャフトは、前記メインシャフトより芯線の径が太いことが好ましい。こうすることで、繰り返し折れ曲がることによるサブシャフトの損傷を抑制することができる。
【０００９】
本発明は、ダクトの内部を清掃するダクト清掃器具であって、金属線をらせん状に巻回した芯線を可撓性樹脂により被覆してなり、基端が回転駆動装置に着脱自在に連結されるメインシャフトと、基端が前記メインシャフトの先端に着脱自在に連結されるとともに、先端から反メインシャフト側へ向かって筆状に延出する多数のワイヤを備えた筆状の回転清掃具とを備えるダクト清掃器具を含む。このように、回転清掃具のワイヤが反メインシャフト側に向かって筆状に延出していることにより、当該ワイヤが、ダクトのコーナーに沿って曲がるため、サブシャフトがなくてもメインシャフトがダクトのコーナーを曲がりやすい。
【００１０】
本発明は、上記のダクト清掃器具と、ダクト内の塵埃を吸引する集塵機の吸引ホースをダクトの排気口に連結する集塵ノズルとを備え、前記集塵ノズルは、前記メインシャフトを挿通可能な挿入口と、前記メインシャフトを挿通可能に構成されるとともにダクトの排気口に連結される送出口と、集塵機に連結される排気口とを備えるダクト清掃キットを含む。このような、集塵機を用いることで、回転清掃具でダクト内壁の塵埃を掃き落としながら、同時にダクトの排気口から塵埃を吸引することができる。
【００１１】
本発明は、本発明に係るダクト清掃器具を用いてダクトの清掃を行うダクト清掃方法を含む。特に、本発明のダクト清掃方法は、前記ダクトが、トイレ、洗面所、風呂場等の被排気室の吸引口と換気扇を結ぶ一又は複数の上流側の部分排気ダクトと、前記換気扇と屋外へ空気を排気する排気口とを結ぶ下流側の部分側排気ダクトとを有する排気ダクトの清掃に用いることが好ましい。かかる排気ダクトに、本発明に係るダクト清掃器具を用いることで、より綺麗に掃除を行うことができる。
【００１２】
本発明に係るダクト清掃方法は、換気扇を前記排気ダクトから取り外したのち、前記いずれかの部分排気ダクトの上流側と下流側の一側から前記ダクト清掃器具を挿入して当該部分排気ダクトを清掃したのち、当該部分排気ダクトの上流側と下流側の他側から前記ダクト清掃器具を挿入して前記部分排気ダクトを清掃することが好ましい。
本発明のダクト清掃器具は、フレキシブルシャフトの先端が曲がりやすいため、下流側排気ダクトの排気口からだけでなく、天井裏に有ってフレキシブルシャフトの差し込みにくい、部分排気ダクトの換気扇から取り外した端部からでも、フレキシブルシャフトを差し込むことができる。これにより、部分排気ダクトを上下流の両側から清掃することができ、上流側から、又は下流側からのみでは、回転清掃具の当たらない箇所にも回転清掃具を当てることができるため、部分排気ダクトを、より綺麗に清掃することができる。
【００１３】
本発明は、換気扇を前記排気ダクトから取り外したのち、前記いずれかの上流側の部分排気ダクトと前記下流側の部分排気ダクトを連結した状態で、前記ダクト清掃器具を前記排気ダクトに挿入して前記排気ダクトを清掃するダクト清掃方法を含む。
本発明のダクト清掃器具は、フレキシブルシャフトの先端が曲がりやすいため、長くてコーナーの多い排気ダクトであっても、フレキシブルシャフトを奥の方まで差し入れることができる。従って、上流側の部分排気ダクトと下流側の部分排気ダクトを連結して全長が長く、コーナーが多くなった状態でも十分に清掃を行うことができる。そして、このように、上流側と下流側の部分排気ダクトを連結することで、上流側の部分排気ダクトの内部を下流側の部分排気ダクトの排気口に連結した集塵機により吸引を行いながら清掃することができる。
【００１４】
さらに、本発明に係るダクト清掃方法は、前記排気ダクトを前記ダクト清掃器具で清掃したのち、前記排気口に集塵ネット取付パーツを取り付け、前記排気ダクトの上流側から、ブロアーにより空気を流送して、前記排気ダクトを清掃することが好ましい。本発明のダクト清掃装置によれば、長くてコーナーの多い排気ダクトでも清掃することができるようになるが、かかる排気ダクトでは、下流側から集塵機で吸引するだけでは、払い落とした塵埃を十分に回収できない虞がある。排気ダクトの上流側から、ブロアーにより空気を流送することで、より確実に払い落とした塵埃を除去することができる。
【発明の効果】
【００１５】
本発明のダクト清掃器具、及びダクト清掃方法によれば、長くてコーナーの多い排気ダクトの奥まで容易に回転清掃具を挿入して、十分に清掃を行うことができる。
【図面の簡単な説明】
【００１６】
【図１】本発明の第１実施形態に係るダクト清掃器具である。
【図２】図１に示したメインシャフトの部分断面側面図である。
【図３】図１に示したサブシャフトの部分透視側面図である。
【図４】図３のサブシャフトに回転ブラシを取り付けた様子の要部断面図である。
【図５】本発明の第２実施形態に係るサブシャフトの（ａ）部分透視正面図、（ｂ）部分透視側面図である。
【図６】図５のサブシャフトに回転バフを取り付けた様子の要部側面図である。
【図７】本発明の第１実施形態に係る集塵ノズルの斜視図である。
【図８】本発明の第１実施形態に係る集塵ネット取付パーツの斜視図である。
【図９】本発明の第３実施形態に係る筆状の回転清掃具を図２のメインシャフトに取り付けた様子を示す側面図である。
【図１０】本発明に係るダクト清掃方法の説明に用いる排気ダクトの模式図である。
【図１１】本発明に係るダクト清掃方法の準備、及び第１工程を示す模式図である。
【図１２】本発明に係るダクト清掃方法の第２工程を示す模式図である。
【図１３】本発明に係るダクト清掃方法の第３工程を示す模式図である。
【図１４】本発明に係るダクト清掃方法の第４工程を示す模式図である。
【発明を実施するための形態】
【００１７】
以下、適宜図面を用いながら本発明の実施形態について詳述する。ただし、本発明は以下の実施形態に限られるものではない。
（第１実施形態）
図１は、本発明の第１実施形態に係るダクト清掃器具１００を示している。ダクト清掃器具１００は、図７に示した、集塵ノズル２００と、図８に示した、集塵ネット取付パーツ３００により、ダクト清掃キットを構成する。ダクト清掃器具１００は、フレキシブルシャフト１と、回転ブラシ（回転清掃具）４０とを備えている。フレキシブルシャフト１は、メインシャフト１０と、サブシャフト２０とからなる。ダクト清掃器具１００は、図１に示すように、メインシャフト１０の基端に連結したインパクトドリル（特許請求の範囲における「回転駆動装置」）Ａにより回転駆動される。インパクトドリルＡとしては、トルク調節可能なものが用いられる。
尚、以下の説明において、ダクト清掃器具１００の基端側、及び先端側をそれぞれ単に基端側、先端側という。
【００１８】
メインシャフト１０は、図２に示すように、基端側のコネクタ１１と先端側のコネクタ１３と、コネクタ１１、及びコネクタ１３を連結する索状部１５とを有している。
基端側のコネクタ１１は、円筒形の本体部１１ａと、本体部１１ａの基端側に突設された丸棒状の連結杆１２と、本体部１１ａの先端側の錘状部１１ｂと、錘状部１１ｂの先端に設けられ、索状部１５に連結される円筒状の連索部１１ｃとを有している。メインシャフト１０は、本体部１１ａを手で握って操作し、連結杆１２をインパクトドリルＡのチャックに差し込んでインパクトドリルＡに連結する。
【００１９】
先端側のコネクタ１３は、円筒状の本体部１３ａと、本体部１３ａの先端から突出する連結杆１４と本体部１３ａの基端側に設けられる連索部１３ｂとを有している。連結杆１４は、丸棒状をなし、側面にキー面１４ａが設けられている。コネクタ１３は、本体部１３ａを手で握って操作し、連結杆１４をサブシャフト２０のコネクタ２１に差し込んでコネクタ２１に連結する。
【００２０】
索状部１５は、芯線１５ａと芯線１５ａを被覆する被覆材１５ｂとからなる。芯線１５ａは、鋼線をらせん状に巻回した層を一又は複数層備える。被覆材１５ｂは、可撓性樹脂からなる。索状部１５は、基端側がコネクタ１１の連索部１１ｃに連結され、先端側がコネクタ１３の連索部１３ｂに連結されている。
【００２１】
サブシャフト２０は、図３に示すように、索状部２３と索状部２３の両端に設けられる一対のコネクタ２１，２１とを有している。コネクタ２１は、円筒状の本体部２１ａと、反索状部側に設けられる結合孔２１ｂと、本体部２１ａの側面を貫通するキー止めねじ孔２１ｄと、索状部２３に連結される連索部２１ｃとを有している。
【００２２】
索状部２３は、メインシャフト１０の索状部１５と同様の構造を有し、芯線２３ａと被覆材２３ｂとからなる。芯線２３ａは、鋼線をらせん状に巻回した層を一又は複数層有する。サブシャフト２０は、索状部２３の被覆材２３ｂを含めた全径ｄ４がメインシャフト１０の全径ｄ１より細く、これにより、サブシャフト２０は、メインシャフト１０より、曲がりやすくなっている。また、サブシャフト２０は、芯線２３ａの径ｄ３がメインシャフト１０の芯線１５ａの径ｄ２より太く設けられ、これにより、繰り返し曲げられても破損しにくくなっている。
【００２３】
サブシャフト２０は、一方のコネクタ２１の結合孔２１ｂにメインシャフト１０の連結杆１４を挿通してキー止めねじ２２を締めることでメインシャフト１０に連結される。
【００２４】
回転ブラシ（回転清掃具）４０は、図４に示すように、多数の金属製線材からなるブラシ部４１と、ブラシ部４１の金属製線材を束ねる捻れ部材４２と、捩れ部材４２と連結される基部４３とを備えている。基部４３は、捩れ部材４２の基端が挿入される円筒状の筒状部４３ａと、筒状部４３ａから反ブラシ部側へ突出する連結杆４３ｂとを有している。連結杆４３ｂは、キー面４３ｃを備えている。
回転ブラシ４０は、連結杆４３ｂをサブシャフト２０の他方のコネクタ２１の結合孔２１ｂに差し込み、キー止めねじ２２で締め付けることでサブシャフト２０に連結される。
【００２５】
集塵ノズル２００は、図７に示すように、円筒状の本体部２０１の一端側開口からなる挿入口２０４と、本体部２０１の他端側開口からなる送出口２０３と、本体部２０１の側面から枝分かれする吸引口２０２とを備えた三叉路状をなしている。
挿入口２０４は、ゴムシートからなる弁２０５を有し、弁２０５は、中心から放射状に設けられた多数のスリット２０５ａを有している。
本実施形態では、集塵ノズル２００は、挿入口２０４を閉塞する盲部材２０６を有している。盲部材２０６は、例えば、後述するダクト清掃方法の第２工程において、ダクト清掃器具１００を排気ダクトの上流側から挿入して清掃する場合のように、ダクト清掃器具１００を挿入口２０４に挿入しない状態で、集塵機により排気ダクト内を吸引する際、挿入口２０４を閉塞するために用いられる。
【００２６】
集塵ネット取付パーツ３００は、図８に示すように、フレキシブチューブをＬ字に曲げた本体部３０１と本体部３０１の一端の差し込み部３０２と、本体部３０１の他端の集塵ネット３０３を有している。
【００２７】
次に、第１実施形態にかかるダクトキット（ダクト清掃器具１００、集塵ノズル２００、集塵ネット取付パーツ３００）を用いて、一般家庭の排気ダクトを清掃する方法について説明する。図１０は、トイレＷ、浴室Ｂ、洗面所Ｓから外部へ排気を行う排気ダクトを模式的に表している。トイレＷ、浴室Ｂ、洗面所Ｓは、それぞれ上流側の部分排気ダクトＤ２、Ｄ３、Ｄ４により換気扇ＦＡに連結され、換気扇ＦＡの下流側には、部分排気ダクトＤ１が設けられている。上流側の部分排気ダクトＤ２、Ｄ３、Ｄ４の吸気口Ｙ２、Ｙ３、Ｙ４から吸引された空気は、換気扇ＦＡを介して、下流側の部分排気ダクトＤ１の排気口Ｘ１から排出される。
【００２８】
（準備工程）
第１実施形態に係るダクト清掃方法は、清掃を開始する前の準備として、まず、図１１に示すように、換気扇ＦＡを部分排気ダクトＤ１〜Ｄ４から外し、排気口Ｘ１に集塵ノズル２００を取り付ける。集塵ノズル２００は、送出口２０３を排気ダクトＤ１の排気口Ｘ１に差し込むことによって排気口Ｘ１に取り付ける。集塵ノズル２００の吸引口２０２を集塵機Ｃの吸引ホースＣ１に連結する。
【００２９】
（第１工程）
準備工程が完了したら、排気ダクトを家の外側から、つまり、排気口Ｘ１側から部分排気ダクトＤ１を清掃する第１工程を行う。
第１工程では、図１１に示すように、まず、ダクト清掃器具１００の回転ブラシ４０を、集塵ノズル２００の挿入口２０４から挿入し、送出口２０３を介して部分排気ダクトＤ１の内部へ挿入する。この際、集塵ノズル２００の弁２０５（図７参照）は、多数の放射状のスリット２０５ａを有するため、回転ブラシ４０を通過させるために大きく開いた後は、フレキシブルシャフト１を中央に通した状態で閉塞する。そして、メインシャフト１０の基端側のコネクタ１１の連結杆１２をインパクトドリルＡのチャックに差し込んで、ダクト清掃器具１００をインパクトドリルＡに連結する。そして、インパクトドリルＡを、適宜のトルクに調節しながら回転させ、回転ブラシ４０を排気口Ｘ１から順次奥側へ送りながら、排気ダクトＤ１の内壁の塵埃を掃き取る。掃き取られた塵埃は、集塵機Ｃにより吸引される。
【００３０】
（第２工程）
第２工程では、図１２に示すように、部分排気ダクトＤ１の換気扇ＦＡから取り外した上流側の開口Ｙ１からダクト清掃器具１００の回転ブラシ４０を挿入して部分排気ダクトＤ１の内部を清掃する。この際、排気口Ｘ１に取り付けた集塵ノズルの挿入口２０４を盲部材２０６（図７参照）で閉塞し、集塵機Ｃで剥がれた塵埃を吸引しながら行うようにしてもよい。
【００３１】
（第３工程）
続く第３工程では、図１３に示すように、上流側の部分排気ダクトＤ２と、下流側の部分排気ダクトＤ１をベローズホースからなるダクト連結パーツＨで連結し、部分排気ダクトＤ２の吸気口Ｙ２からダクト清掃器具１００の回転ブラシ４０を差し込んで、部分排気ダクトＤ２と部分排気ダクトＤ１とを一体的に清掃する。
ダクト清掃器具１００は、先端（サブシャフト２０）が曲がりやすいので、このように、排気ダクトを長く、また多数のコーナーを有する状態にしても、回転ブラシ４０を奥まで容易に差し込むことができるため、このような清掃方法が可能である。そして、このように、上流側の部分排気ダクトＤ２と、下流側の部分排気ダクトＤ１を連結して清掃することで、排気口Ｘ１に連結した集塵機Ｃにより、部分排気ダクトＤ２内の塵埃を吸引しながら、部分排気ダクトＤ２を清掃できる。
【００３２】
（第４工程）
続けて、第４工程では、図１４に示すように、排気ダクトからダクト清掃器具１００を取り出し、排気口Ｘ１から集塵ノズル２００を取外し、代わりに排気口Ｘ１に差し込み部３０２を差し込むようにして、排気口Ｘ１に集塵ネット取付パーツ３００を取り付ける。しかるのち、ブロアーＢＬにより、部分排気ダクトＤ２の吸気口Ｙ２から空気を圧送する。こうして、部分排気ダクトＤ１、及び部分排気ダクトＤ２内の塵埃を排気口Ｘ１へ流送し、集塵ネット３０３で捕集する。
【００３３】
以下、浴室Ｂと洗面所Ｓに係る部分排気ダクトＤ３と部分排気ダクトＤ４についても、同様に第３工程、第４工程を行って、清掃する。
【００３４】
（第２実施形態）
図５は、本発明の第２実施形態に係るサブシャフト３０を示している。サブシャフト３０は、索状部２３の基端側にコネクタ２１を、先端側にコネクタ３１を有している。コネクタ３１は、有蓋筒状の基部３１ａと基部３１ａの先端から突設される雄ねじシャフト３２を備えている。尚、第２実施形態以下の実施形態において、第１実施形態と共通する部材については、同一符号を付して説明を省略する。
【００３５】
サブシャフト３０は、回転バフ（回転清掃具）５０を用いる場合に使用される。回転バフ５０は、図６に示すように、一対のワッシャー３３，３３で挟持した状態でナット３４で固定するようにして、雄ねじシャフト３２に取着される。回転バフ５０を取着したサブシャフト３０は、基端側のコネクタ２１によりメインシャフト１０に連結される。
【００３６】
（第３実施形態）
図９は、本発明の第３実施形態に係る筆状の回転ブラシ６０を示している。回転ブラシ６０は、基部６１と、基部６１によって筆状に束ねられた多数のワイヤからなるワイヤ部６２とを有している。回転ブラシ６０は、サブシャフト２０を用いず、メインシャフト１０の先端側のコネクタ１３に直接取着される。
回転ブラシ６０は、ワイヤ部６２が排気ダクトのコーナーに沿って曲がるので、排気ダクトのコーナーの奥まで容易に挿入できる。
【００３７】
以上、本発明のダクト清掃器具は、上述した実施形態に限られず、例えば、メインシャフトの芯線のほうが、サブシャフトの芯線より太くてもよいし、インパクトドリル以外の駆動装置により、メインシャフトを回転させてもよい。本発明のダクト清掃キットは、集塵ネット取付パーツを備えなくともよい。索状部の芯線は、鋼線に限らず、公知の金属材料を適宜に用いることができる。
【符号の説明】
【００３８】
１００  ダクト清掃器具
１  フレキシブルシャフト
１０  メインシャフト
２０  サブシャフト
２００  集塵ノズル
２０２  吸引口
２０３  送出口
２０５  挿入口
３００  集塵ネット取付パーツ
４０，６０  回転ブラシ（回転清掃具）
５０  回転バフ（回転清掃具）
【図１】
2018118217.tif 000003
【図２】
2018118217.tif 000004
【図３】
2018118217.tif 000005
【図４】
2018118217.tif 000006
【図５】
2018118217.tif 000007
【図６】
2018118217.tif 000008
【図７】
2018118217.tif 000009
【図８】
2018118217.tif 000010
【図９】
2018118217.tif 000011
【図１０】
2018118217.tif 000012
【図１１】
2018118217.tif 000013
【図１２】
2018118217.tif 000014
【図１３】
2018118217.tif 000015
【図１４】
2018118217.tif 000016